(57)【要約】【課題】地下二重壁空間の湿度を低く維持することができ、低コストかつメンテナンスフリーの湿度調節装置を提供する。【解決手段】排水を上方から下方に流通させる流路内に設置する湿度調節装置１０において、流路の上方に向けて開口し、排水が流れ込む導入部１８ａと、該導入部１８ａの下方に連なるとともに閉塞された底部１１ｂを備え、前記導入部１８ａに流れ込んだ排水が貯水される収容部１８ｃと、該収容部１８ｂの内外を開閉可能に設けられ、収容部１８ｂの水位が所定以上となった際にのみ排水の水圧により開放され、該排水を流路の下方側に流す開閉部１８ｄとを設ける。【選択図】図２
2010203626.tif 000002
【特許請求の範囲】
【請求項１】
排水を上方から下方に流通させる流路内に設置する湿度調節装置であって、
前記流路の上方に向けて開口し、前記排水が流れ込む導入部と、
該導入部の下方に連なるとともに、閉塞された底部を備え、前記導入部に流れ込んだ前記排水が貯水される収容部と、
該収容部の内外を開閉可能に設けられて、該収容部の水位が所定以上となった際にのみ前記排水の水圧により開放され、該排水を前記流路の下方側に流す開閉部とを備えることを特徴とする湿度調節装置。
【請求項２】
前記導入部と前記収容部との間に設けられ、前記導入部と前記収容部とを隔てる絞り部を備えることを特徴とする請求項１に記載の湿度調節装置。
【請求項３】
前記導入部の開口縁部と前記流路の壁面との間を閉塞するシール部材が設けられていることを特徴とする請求項１又は２に記載の湿度調節装置。
【請求項４】
前記開閉部は、
前記収容部の内外を貫通する連通孔と、
該連通孔を前記収容部の外側から閉塞するとともに、前記収容部に貯水された前記排水の水圧が及ぶ蓋部材と、
前記排水の水圧に応じて前記蓋部材を開放状態に回動させる回動部とを備えることを特徴とする請求項１から３のいずれか一項に記載の湿度調節装置。
【請求項５】
前記収容部の内側から外側へ向かっての前記連通孔の貫通方向が、水平方向から上方向までの間の範囲を向いていることを特徴とする請求項４に記載の湿度調節装置。
【請求項６】
前記連通孔の下端が前記収容部の前記底部まで延びていることを特徴とする請求項４又は５に記載の湿度調節装置。
【請求項７】
排水を上方から下方に流通させる流路内に設置する湿度調節装置であって、
上方が開放され下方が閉塞された有底円筒状をなす装置本体を備え、
該装置本体の上部が、前記流路の上方に向けて開口して前記排水が流れ込む導入部とされ、
前記装置本体の下部が、前記導入部に流れ込んで前記装置本体の底部に到った前記排水を貯水する収容部とされ、
前記装置本体を外周側から径方向内側に向かって側面視くの字状に切り欠いて形成した切欠部を有し、
該切欠部は、前記装置本体の外周側から該装置本体の径方向内側に向かうに従って漸次下方に向かって傾斜する第１傾斜板と、該第１傾斜板の下端から前記装置本体の外周側に向かって漸次下方に向かって傾斜する第２傾斜板とによって閉塞され、
前記第２傾斜板をその板厚方向に貫通する連通孔が形成され、
該連通孔を前記装置本体の外側から閉塞する蓋部材が設けられ、
前記第２傾斜板の上方に、前記連通孔の貫通方向に直交する水平方向に沿った回転軸回りに前記蓋部材を回動させる回動部が設けられたことを特徴とする湿度調節装置。
【請求項８】
前記流路が、地下室における内壁と外壁と間の地下二重壁空間と、前記地下二重壁空間のさらに地下に設置された湧水槽との間を連通し、地下二重壁空間内の漏水及び結露水を湧水槽に導入する排水孔であることを特徴とする請求項１から７のいずれか一項に記載の湿度調節装置。
【請求項９】
請求項８に記載の湿度調節装置と、前記地下二重空間と、前記排水孔と、前記湧水槽とを備えることを特徴とする湿度調節システム。
【発明の詳細な説明】
【技術分野】
【０００１】
本発明は、地下二重壁間の空間において外壁からの漏水や内壁の結露水を排出して湿度を調節する湿度調節装置、並びに、この湿度調節装置を用いた地下二重壁空間内の湿度調節システムに関する。
【背景技術】
【０００２】
地下建造物においては、周辺の地層に含まれる地下水がコンクリート壁に浸透するため地下室は多湿となる。特に地下水位の高い地域等の場合は、コンクリート壁にアスファルト被覆やシート防水を施すか、防水薬液注入等の対策が講じられているが、なお完全に漏水を防ぐことはできない。
また、地層の温度は年間を通じて一定であるため、夏季の高温多湿な外気や空調による地下室の温度との差によって、壁面に結露水が生ずるという不具合があった。
【０００３】
そこで、この結露水の発生を防止し漏水を除去するために、コンクリート壁の内側に内壁を設けて外壁と内壁との二重壁とし、これら外壁と内壁との間の地下二重壁空間の下方に設けた排水孔から漏水や結露水などをさらに地下の湧水槽へ排除するとともに、空間が持つ断熱効果によって地下室内の温度差から生ずる結露現象を減少させることが行なわれている（例えば特許文献１参照）。
【０００４】
ここで、規模の大きい図書館や学校においては膨大な量の書物を収容するために地下書庫を有している場合があり、湿度や温度に影響を受け易い紙資料の性質上、地下書庫内の湿度と温度を保存に適した環境に維持する必要がある。そこで、この地下書庫の構造においても上記二重壁構造が採用されており、湿度と温度の適切な管理が行なわれている。
【先行技術文献】
【特許文献】
【０００５】
【特許文献１】特開平９−２７９６１８号公報
【発明の概要】
【発明が解決しようとする課題】
【０００６】
ところで、上記のように地下書庫における地下二重壁空間内の漏水や結露水を排水孔を介して湧水槽へ排除する構成の場合、長時間経過すると湧水槽内の貯水が蒸発・上昇し、排水孔を介して地下二重壁空間内に逆流してしまう。これによって、地下二重壁空間内の湿度が極端に上昇すると、僅かな隙間を介して地下書庫内に湿度の高い空気が侵入したり内壁を水滴が浸透することにより、地下書庫内の書物が湿気で傷んでしまうという問題があった。
なお、二重壁空間内に空調を設置して湿度管理を行なう方法も考えられるが、地下の二重空間内という場所の性質上メンテナンスの観点からその設置は困難であるとともにコストが増加してしまいうため好ましくない。
【０００７】
この発明はこのような課題に鑑みてなされたものであり、地下二重壁空間内の湿度を低く維持することができ、低コストかつメンテナンスフリーの湿度調節装置及びこれを用いた地下二重壁空間内の湿度調節システムを提供することを目的とする。
【課題を解決するための手段】
【０００８】
前記課題を解決するため、この発明は以下の手段を提案している。
即ち、本発明に係る湿度調節装置は、排水を上方から下方に流通させる流路内に設置する湿度調節装置であって、前記流路の上方に向けて開口し、前記排水が流れ込む導入部と、該導入部の下方に連なるとともに、閉塞された底部を備え、前記導入部に流れ込んだ前記排水が貯水される収容部と、該収容部の内外を開閉可能に設けられて、該収容部の水位が所定以上となった際にのみ前記排水の水圧により開放され、該排水を前記流路の下方側に流す開閉部とを備えることを特徴としている。    
【０００９】
このような特徴の湿度調節装置によれば、流路の上方からの排水を流路の下方に流すことを可能としつつ、流路の下方で生じた水蒸気が流路上方に逆流するのを防止して、流路上方の湿度の上昇を防止することができる。
また、駆動源を有しておらず、収容部の貯水による水圧を利用して開閉部を開閉させる構成のため、製造コストが低く、またメンテナンスに手間がかかることもない。
【００１０】
また、本発明に係る湿度調節装置においては、前記導入部と前記収容部との間に設けられ、前記導入部と前記収容部とを隔てる絞り部を備えることを特徴としている。
【００１１】
収容部の水圧が所定未満で開閉部が閉塞状態とされている際には、該収容部に貯水された排水自体が蒸発して水蒸気が発生する。この点、本発明においては、絞り部でもって収容部の水蒸気が導入部及び流路上方に向かうのを妨げることができる。したがって、収容部の貯水の蒸発による流路の上方の湿度の上昇を抑制することができる。
【００１２】
さらに、本発明に係る湿度調節装置においては、前記導入部の開口周縁と前記流路の壁面との間を閉塞するシール部材が設けられていることを特徴としている。
【００１３】
このような構成とすることにより、流路の上方及び下方が湿度調節装置によって気密に閉塞された状態となるため、流路の下方で発生した水蒸気が流路の上方に逆流するのをより確実に防止することができる。
【００１４】
また、本発明に係る湿度調節装置において、前記開閉部は、前記収容部の内外を貫通する連通孔と、該連通孔を前記収容部の外側から閉塞するとともに、前記収容部に貯水された前記排水の水圧が及ぶ蓋部材と、前記排水の水圧に応じて前記蓋部材を開放状態に回動させる回動部とを備えることを特徴としている。
【００１５】
このような構成とすることにより、収容部の水位が所定未満の状態においては、蓋部材が連通孔を閉塞して流路の下方の水蒸気が流路の上方に逆流するのを阻止しつつ、水位が所定以上となった場合には、蓋部材が内側から排水の水圧によって押圧されて回動し開放状態となり、排水を流路の下方に流すことができる。
【００１６】
さらに、本発明に係る湿度調節装置においては、前記収容部の内部から外部へ向かっての前記連通孔の貫通方向が、水平方向から上方向までの間の範囲を向いていることを特徴としている。
【００１７】
これにより、収容部の水位が低い状態においては、蓋部材が自重によって下方に回動して連通孔を閉塞した状態となる。したがって、流路の下方の水蒸気が流路の上方に逆流するのを確実に防止することができる。
【００１８】
また、本発明に係る湿度調節装置においては、前記連通孔の下端が前記収容部の前記底部まで延びていることを特徴としている。
【００１９】
このような構成とすることにより、収容部の貯水の水位による水圧を蓋部材に対して効率よく与えることができる。即ち、連通孔の下端が収容部の最下部まで延びていない場合に比べて、より低い水位でもって蓋部材を回動させることができるため、収容部の貯水量を常に少ない状態に維持することができ、該貯水による水蒸気の発生を抑制することができる。
【００２０】
また、本発明に係る湿度調節装置は、排水を上方から下方に流通させる流路内に設置する湿度調節装置であって、上方が開放され下方が閉塞された有底円筒状をなす装置本体を備え、該装置本体の上部が、前記流路の上方に向けて開口して前記排水が流れ込む導入部とされ、前記装置本体の下部が、前記導入部に流れ込んで前記装置本体の底部に到った前記排水を貯水する収容部とされ、前記装置本体を外周側から径方向内側に向かって側面視くの字状に切り欠いて形成した切欠部を有し、該切欠部は、前記装置本体の外周側から該装置本体の径方向内側に向かうに従って漸次下方に向かって傾斜する第１傾斜板と、該第１傾斜板の下端から前記装置本体の外周側に向かって漸次下方に向かって傾斜する第２傾斜板とによって閉塞され、前記第２傾斜板をその板厚方向に貫通する連通孔が形成され、該連通孔を前記装置本体の外側から閉塞する蓋部材が設けられ、前記第２傾斜板の上方に、前記連通孔の貫通方向に直交する水平方向に沿った回転軸回りに前記蓋部材を回動させる回動部が設けられたことを特徴としている。
【００２１】
このような特徴の湿度調節装置によれば、流路の上方からの排水を流路の下方に流すことを可能としつつ、流路の下方で生じた水蒸気が流路上方に逆流するのを防止して、流路上方の湿度の上昇を防止することができる。即ち、収容部の水位が低い状態においては、蓋部材により連通孔を閉塞して流路の下方の水蒸気が流路の上方に逆流するのを阻止しつつ、水位が所定以上となった場合には、蓋部材が内側から排水の水圧によって押圧されて回動し開放状態となり、排水を流路の下方に流すことができる。
【００２２】
また、切欠部に設けらた第１傾斜板及び第２傾斜板によって収容部と導入部とが隔てられているため、収容部に貯水された排水が蒸発してその水蒸気が上昇する場合であっても、これら第１傾斜板及び第２傾斜板によって導入部への上昇が阻害される。したがって、収容部の貯水の蒸発による流路の上方の湿度の上昇を抑制することができる。
【００２３】
さらに、収容部の水位が低い状態においては、蓋部材が自重によって該蓋部材が下方に回動して連通孔を閉塞した状態となるため、流路の下方の水蒸気が流路の上方に逆流するのを確実に防止することができる。
また、駆動源を有しておらず、収容部の貯水による水圧を利用して開閉部を開閉させる構成のため、低コスト化及び省メンテナンス化を図ることができる。
【００２４】
また、本発明に係る湿度調節装置においては、前記流路が、地下室における内壁と外壁と間の地下二重壁空間と前記地下二重壁空間のさらに地下に設置された湧水槽との間を連通し、地下二重壁空間内の漏水及び結露水を湧水槽に導入する排水孔であることを特徴としている。
【００２５】
このような特徴の湿度調節装置においては、地下二重壁空間と湧水槽との間の排水孔に設置することにより、地下二重壁空間の結露や漏水層を湧水槽に流し込むことを可能としつつ、湧水槽の貯水の蒸発による水蒸気が排水孔を介して地下二重壁空間に逆流するのを防止することができる。したがって、地下二重壁空間内の湿度を低く維持することが可能となる。
【００２６】
本発明に係る湿度調節システムは、上記の湿度調節装置と、前記地下二重空間と、前記排水孔と、前記湧水槽とを備えることを特徴としている。
【００２７】
このような特徴の湿度調節システムによれば、上記のような湿度調節装置を備えているため、地下二重壁空間内の湿度を低くすることができ、地下室内の湿度や温度を例えば紙資料の保存に適した環境に維持することができる。
【発明の効果】
【００２８】
本発明の湿度調節装置によれば、収容部の水位が所定以上となった際に水圧により開閉部が開放されて排水が流れる構成とすることで、流路の下方から上方に向かって水蒸気が逆流するのを防止して、流路の上方側の空間の湿度を低く抑えることができる。また、特別な駆動源を有していないため、低コスト化及び省メンテナンス化を図ることが可能となる。
【図面の簡単な説明】
【００２９】
【図１】湿度調節装置を有する湿度調節システムの概略構成図である。
【図２】第１実施形態に係る湿度調節装置の側面図である。
【図３】第１実施形態に係る湿度調節装置の正面図である。
【図４】第１実施形態に係る湿度調節装置の平面図である。
【図５】第１実施形態に係る湿度調節装置の開閉部の開閉を説明する図である。
【図６】第２実施形態に係る湿度調節装置の側面図である。
【図７】第３実施形態に係る湿度調節装置の側面図である。
【図８】第４実施形態に係る湿度調節装置の側面図である。
【図９】第５実施形態に係る湿度調節装置の側面図である。
【発明を実施するための形態】
【００３０】
以下、本発明の湿度調節システム及び湿度調節装置を実施形態を添付した図面を参照しながら説明する。なお、本実施形態においては、湿度調節システムを図書館の地下書庫に適用した例について説明する。
【００３１】
湿度調節システム１００は、図１に示すように、書物や紙資料が保管された地下書庫Ｒの周壁となる内壁１と、該内壁１から所定距離離間して設置され地層Ｓと直接的に接触する外壁２と、内壁１と外壁２との間の空間である地下二重壁空間３と、該地下二重壁空間３の床面４の下方に設けられた湧水槽５と、床面４に形成され地下二重壁空間３と湧水槽５とを連通する排水孔（流路）６と、該排水孔６に設けられた湿度調節装置１０とを有している。
【００３２】
なお、本実施形態においては、上記地下二重壁空間３は、内壁１に連なる天井壁７の上方全域にも延びている。また、上記排水孔６は、鉛直方向に沿って形成されており、本実施形態においては、その水平面に沿った断面形状が円形とされている。さらに、上記湧水槽５には、排水孔６及び湿度調節装置１０を介して流れ込んだ地下二重壁空間３内の漏水や結露水が貯水されている。
【００３３】
第１実施形態の湿度調節装置１０は、図２〜図４に示すように、装置本体１１と、第１傾斜板１２と、第２傾斜板１３と、蓋部材１４と、回動部材１５と、本体支持部材１６と、支持バー１７とから概略構成されている。
【００３４】
装置本体１１は、鉛直方向に沿う軸線Ｏを中心とした有底円筒状の部材の一部を外周側から切り欠いた形状をなしている。
より詳細には、装置本体１１は、一定の厚みを有するプラスチック製のパイプを所定の長さに切断して形成した円筒体１１ａと、該円筒体１１ａの下方端部が閉塞されて形成された底部１１ｂとを備え、上記円筒体１１ａの外周側から側面視くの字状に切り欠くことによって切欠部１１ｃが形成されている。なお、装置本体１１の外径、即ち円筒体１１ａの直径は、上記地下二重壁空間３の床面４に形成された排水孔６の内径よりも小さく形成されており、これにより、湿度調節装置１０が排水孔６に挿入可能とされている。
【００３５】
この切欠部１１ｃは、外周側から径方向内側に向かうに従って漸次下方に傾斜する平面によって切断されて、側面視くの字の上部の傾斜辺を構成する切断面である上部切欠面１１ｄと、外周側から径方向内側に向かうに従って漸次上方に傾斜する平面によって切断されて、側面視くの字の下部の傾斜辺を構成する切断面である下部切欠面１１ｅとから構成されており、該切欠部１１ｃにより装置本体１１の内外が連通状態とされている。
なお、上部切欠面１１ｄ及び下部切欠面１１ｅの水平面に対する傾斜角度は、下部切欠面１１ｅの方が上部切欠面１１ｄよりも大きく形成されている。
【００３６】
第１傾斜板１２は、例えばプラスチック等から形成された板状の部材であって、上記切欠部１１ｃのうち側面視くの字の上部の傾斜辺を閉塞するように、その外縁が上記上部切欠面１１ｄに接触するようにして固定されている。これにより、第１傾斜板１２は、上部切欠面１１ｄと同様に上装置本体１１の外側から径方向内側に向かうに従って漸次下方に向かって傾斜している。
また、このように固定された状態において、該第１傾斜板１２の外縁部は、切欠部１１ｃのくの字の屈曲部に位置する部分が水平方向に沿った直線状とされている。一方、該第１傾斜板１２の外縁部のうち他の部分は、装置本体１１の円筒体１１ａの外周面に沿った円弧状とされ、装置本体１１の円筒体１１ａの外周面のなす円筒領域内に収まるように配置されている。
【００３７】
第２傾斜板１３は、上記第１傾斜板１２と同じく、例えばプラスチック等から形成された板状の部材であって、切欠部１１ｃのうち側面視くの字の下部の傾斜辺を閉塞するように、その外縁が下部切欠面１１ｅに接触するようにして固定されている。これにより、第２傾斜板１３は、下部切欠面１１ｅと同様に上装置本体１１の外側から径方向内側に向かうに従って漸次上方に向かって傾斜している。
また、このように固定された状態において、該第２傾斜板１３の外縁部は、切欠部１１ｃのくの字の屈曲部に位置する部分が、第１傾斜板１２と同様に水平方向に沿った直線状とされ、第１傾斜板１２の直線状の外縁部と隙間なく液密に固定されている。このようにして装置本体１１の切欠部１１ｃの内外が第１傾斜板１２及び第２傾斜板１３によって閉塞された状態となる。一方、該第２傾斜板１３の外縁部のうち、上記直線状の部分以外のの部分は、装置本体１１の円筒体１１ａの外周面に沿った円弧状とされ、装置本体１１の円筒体１１ａの外周面のなす円筒領域内に収まるように配置されている。
【００３８】
この第２傾斜板１３には、その板厚方向、即ち、下部切欠面１１ｅに沿った平面の法線方向に貫通する連通孔１３ａが形成されており、この連通孔１３ａは、装置本体１１の内部から見て斜め上方を向いている。本実施形態においては、連通孔１３ａは、水平面に沿った平行な２辺と該２辺に対してそれぞれ垂直をなす二辺とで構成された矩形状をなしている。
【００３９】
蓋部材１４は、通常時において第２傾斜板１３を閉塞する板状をなす部材であって、例えばシリコンゴム等の弾性材料からなる第１蓋材１４ａと、プラスチック等のある程度の剛性のある材質からなる第２蓋材１４ｂとが積層接着されることにより構成されている。そして、この蓋部材１４は、第１蓋材１４ａが連通孔１３ａを閉塞するともに第２蓋材１４ｂ側が装置本体１１の外側を向くようにして配置されている。
【００４０】
回動部材１５は、上記蓋部材１４を開閉可能とするヒンジであって、上記連通孔１３ａの貫通方向に直交する水平方向に沿って、即ち、上記第１傾斜板１２と第２傾斜板１３との直線状の接続箇所に沿って延びる回転軸１５ａを有している。そして、この回転軸１５ａには、該回転軸１５ａの延在方向に沿って延びる矩形状の第１板材１５ｂ及び第２板材１５ｃがそれぞれ回動自在に取り付けられており、第１板材１５ｂが第１傾斜板１２に外側からねじ止めにより固定され、第２板材１５ｃが蓋部材１４の上端部に外側から接着により固定されている。このようにして、連通孔１３ａ及び蓋部材１４の上方に配置された回動部材１５によって、蓋部材１４が回転軸１５ａ回りに回動可能に固定されているのである。
【００４１】
本体支持部材１６は、軸線Ｏを中心とした円筒状の部材であって、その軸線Ｏ方向の長さは装置本体１１よりも十分に短く形成され、外径が地下二重壁空間３の床面４に形成された排水孔６よりも小さく形成され、内径が装置本体１１の外径、即ち円筒体１１ａの外径と略同一に形成されている。また、本体支持部材１６の内周側には、径方向内側に向かって突出して軸線Ｏを中心とした環状をなす環状リブ１６ａが形成されている。
また、この本体支持部材１６の上端側には、軸線Ｏを挟んで互いに反対側に対向するように一対の延在部１６ｂ，１６ｂが形成されている。また、この延在部１６ｂには径方向に沿って貫通する挿通孔１６ｃがそれぞれ形成されている。
【００４２】
この本体支持部材１６は、装置本体１１の上方から該装置本体１１に外嵌されて、に上記環状リブ１６ａが装置本体１１の上端の開口縁部１１ｆに当接する。これによって、本体支持部材１６は、その下方に装置本体１１が延びるようにして該装置本体１１を支持している。
また、本体支持部材１６の外周側には、例えばゴム等からなる軸線Ｏを中心とした環状のシール部材１６ｄが設けられている。
【００４３】
支持バー１７は、金属製のバーであって、上記本体支持部材１６の延在部１６ｂ，１６ｂに形成された計２つの挿通孔１６ｃを挿通するようにして本体支持部材１６の直径に沿って配置されている。また、この支持バー１７の両端部は屈曲されている。なお、支持バー１７の屈曲した状態における両端部の距離は、排水孔６の直径よりも十分に大きなものとされている。
【００４４】
以上のような構成からなる湿度調節装置１０は、装置本体１１の底部１１ｂ側から排水孔６内に挿入され、これにより、装置本体１１及び本体支持部材１６が排水孔６内に配置された状態となる。そして、湿度調節装置１０の上部に配置された支持バー１７の両端部が地下二重壁空間３の床面４上に載置され、これにより湿度調節装置１０が排水孔６から落下せずに支持された状態となる。また、この際、シール部材１６ｄが排水孔６の壁面に接触する。
【００４５】
そして、このように配置された状態においては、装置本体１１の上端開口側が地下二重壁空間３内の漏水や結露水等の排水が流れ込む導入部１８ａとされ、装置本体１１の底部１１ｂ側が上記導入部１８ａに流れ込んだ排水が貯水される収容部１８ｂとされる。
また、これら導入部１８ａと収容部１８ｂとの間に位置し、装置本体１１の切欠部１１ｃに第１傾斜板１２及び第２傾斜板１３が配設されることによって、排水の流路が絞られる部分が、第導入部１８ａと収容部１８ｂを隔てる絞り部１８ｃとされている。
さらに、第２傾斜板１３の連通孔１３ａ、蓋部材１４及び回動部材１５で、収容部１８ｂの内外を開閉可能とする開閉部１８ｄとされている。
【００４６】
次に、本実施形態に係る湿度調節装置１０及び湿度調節システム１００の作用について説明する。
図１に示すように、湿度調節システム１００においては、内壁１と外壁２との二重壁構造として地下二重壁空間３を形成することで、該地下二重壁空間３の断熱効果によって地層Ｓと地下書庫Ｒとの温度差から生じる結露現象が減少させられる。また、地下二重壁空間３に生じた結露水や漏水は床面４に滴下し、排水孔６を流下して湧水槽５に導かれる。
【００４７】
この結露水や漏水等の排水は、排水孔６を流下する際に湿度調節装置１０を通過することになる。排水孔６に到達した排水は、まず、湿度調節装置１０の導入部１８ａに流れ込み、重力に従って下方に流れ、絞り部１８ｃを通過して収容部１８ｂに移動する。この収容部１８ｂにおいては、底部１１ｂにより下方が閉塞されているため、図５（ａ）に示すように、収容部１８ｂに到った排水が順次貯水されることになる。
【００４８】
このように収容部１８ｂに排水が貯水された状態においては、該収容部１８ｂの開口、即ち、第２傾斜板１３の連通孔１３ａを閉塞する蓋部材１４に水圧Ｆが及ぶことになる。この水圧Ｆは、連通孔１３ａの下端からの水位に比例して大きくなる。
ここで、開閉部１８ｄを構成する蓋部材１４は、回動部材１５により回動自在とされており、通常時は自重によって下方に回動した状態にあり連通孔１３ａを閉塞している。ところが、排水の貯水量が多くなり蓋部材１４に及ぶ水圧Ｆが該蓋部材１４の自重により下方へ回動する力を超えると、蓋部材１４が上方に向かって回動することになる。このようにして水位が所定以上となった際にのみ、図５（ｂ）に示すように、開閉部１８ｄとしての蓋部材１４が開放状態となることで収容部１８ｂの内外が連通状態となり、該収容部１８ｂ内の排水が外部に放出されるのである。
【００４９】
そして、排水が収容部１８ｂの外部に排出されて収容部１８ｂの水位が低くなると、蓋部材１４に及ぶ水圧が小さくなるため、蓋部材１４は再び自重によって下方に向かって回動し、連通孔１３ａを閉塞する。
【００５０】
以上のようにして、本実施形態の湿度調節装置１０によれば、収容部１８ｂの水位が所定以上となった際に通常時は閉塞状態とされている開閉部１８ｄが開放状態となることにより、排水孔６の上方からの排水を排水孔６の下方の湧水槽５に流すことを可能となる。また、収容部１８ｂの水位が所定未満の場合には開閉部１８ｄが閉塞状態にあるため、湧水槽５で生じた水蒸気が排水孔６上方に逆流するのを防止して、排水孔６の上方の空間である地下二重壁空間３の湿度の上昇を防止することができる。
また、動力を有する駆動源を有しておらず、収容部１８ｂの貯水による水圧を利用して開閉部１８ｄを開閉させる構成のため、製造コストが低く、またメンテナンスに手間がかかることもない。
【００５１】
さらに、装置本体１１をくの字に切り欠いた切欠部１１ｃを閉塞することにより、導入部１８ａ及び収容部１８ｂを隔てる絞り部１８ｃが形成されているため、収容部１８ｂに貯水されている排水が蒸発して水蒸気が発生した際であっても、該絞り部１８ｃでもって収容部１８ｂの水蒸気が導入部１８ａに逆流するのを妨げることができる。したがって、収容部１８ｂの貯水の蒸発による地下二重壁空間３の湿度の上昇を抑制することができる。
【００５２】
なお、このように装置本体１１を切り欠いて形成した切欠部１１ｃに開閉部１８ｄを設けたことにより、装置本体１１の円筒体１１ａの外周面のなす円筒領域内に開閉部１８ｄが収まるため、開閉部１８ｄの存在が湿度調節装置１０を排水孔６に取り付ける際の妨げることはない。
【００５３】
また、湿度調節装置１０を排水孔６に設置した状態においては、シール部材１６ｄが排水孔６の壁面に接触して、湿度調節装置１０と排水孔６とのクリアランスを覆って、地下二重壁空間３と湧水槽５を気密に閉塞した状態となるため、湧水槽５で生じた水蒸気が地下二重壁空間３に逆流するのをより確実に防止することができる。
【００５４】
また、本実施形態においては、連通孔１３ａが、収容部１８ｂの内部から見て斜め上方を向いており、これにより、該連通孔１３ａを収容部１８ｂの外側から閉塞する蓋部材１４が自重による下方に回動する力によって連通孔１３ａを閉塞した状態とすることができる。したがって、収容部１８ｂの水位の低い状態において、湧水槽５の水蒸気が地下二重壁空間３に逆流するのを確実に防止することができる。
【００５５】
また、蓋部材１４の重量を適宜変更することにより、収容部１８ｂが任意の水位に達した際に開閉部１８ｄを開放状態とすることができるため、収容部１８ｂの貯水の量を容易に調整することが可能となる。
【００５６】
さらに、蓋部材１４における通孔孔１３ａを直接的に閉塞する第１蓋材１４ａがシリコンゴム等の弾性材料からなるため、連通孔１３ａを気密液密に閉塞して、湧水槽５の水蒸気が地下二重壁空間３に逆流するのを、より一層確実に防止することができる。
【００５７】
そして、このような湿度調節装置１０を用いた湿度調節システム１００によれば、地下二重壁空間３内の湿度を低くすることができ、地下書庫の湿度や温度を例えば紙資料の保存に適した環境に維持することができる。
【００５８】
次に、第２実施形態の湿度調節装置２０について図６を用いて説明する。なお、図６においては図２と同様の構成要素には同様の符号を付して詳細な説明を省略する。
第２実施形態の湿度調節装置１０は、図６に示すように、装置本体２１と、第１傾斜板１２と、第２傾斜板２３と、蓋部材１４と、回動部材１５と、本体支持部材１６と、支持バー１７とから概略構成されている。
【００５９】
第２実施形態の装置本体２１は、鉛直方向に沿う軸線Ｏを中心とした有底円筒状の部材の一部を外周側から切り欠いた形状をなしている。
より詳細には、装置本体２１は、一定の厚みを有するプラスチック製のパイプを所定の長さに切断して形成した円筒体２１ａと、該円筒体２１ａの下方端部が閉塞されて形成された底部２１ｂとを備え、上記円筒体２１ａの外周側から底部１１ｂにかけて側面視くの字状に切り欠くことによって切欠部２１ｃが形成されている。なお、装置本体２１の外径、即ち円筒体２１ａの直径は、上記地下二重壁空間３の床面４に形成された排水孔６の内径よりも小さく形成されており、これにより、装置本体２１が排水孔６に挿入可能とされている。
【００６０】
この切欠部２１ｃは、外周側から径方向内側に向かうに従って漸次下方に傾斜する平面によって切断されて、側面視くの字の上部の傾斜辺を構成する切断面である上部切欠面２１ｄと、底部２１ｂの外周側から径方向内側に向かうに従って漸次上方に傾斜する平面によって切断されて、側面視くの字の下部の傾斜辺を構成する切断面である下部切欠面２１ｅとから構成されており、該切欠部２１ｃにより装置本体２１の内外が連通状態とされている。
なお、上部切欠面２１ｄ及び下部切欠面２１ｅの水平面に対する傾斜角度は、下部切欠面２１ｅの方が上部切欠面よりも大きく形成されている。
【００６１】
第２傾斜板２３は、例えばプラスチック等から形成された板状の部材であって、切欠部２１ｃのうち側面視くの字の下部の傾斜辺を閉塞するように、その外縁が下部切欠面２１ｅに接触するようにして固定されている。これにより、第２傾斜板２３は、下部切欠面２１ｅと同様に、上装置本体１１の外側から径方向内側に向かうに従って漸次下方に向かって傾斜している。
【００６２】
また、このように固定された状態において、該第２傾斜板２３の外縁部は、切欠部２１ｃのくの字の屈曲部に位置する部分が、水平方向に沿った直線状とされ、第１傾斜板１２の直線状の外縁部と隙間なく液密に固定されている。このようにして装置本体１１の切欠部２１ｃの内外が第１傾斜板１２及び第２傾斜板２３によって閉塞された状態となる。一方、該第２傾斜板２３の外縁部のうち、径方向外側に位置する部分は、水平方向に沿った直線状をなして円筒体２１ａの外周面よりも径方向内側において底部２１ｂに接触しており、その他の部分は、装置本体２１の円筒体２１ａの外周面に沿った円弧状とされ、装置本体２１の円筒体２１ａの外周面のなす円筒領域内に収まるように配置されている。
【００６３】
この第２傾斜板２３には、その板厚方向、即ち、下部切欠面２１ｅに沿った平面の法線方向に貫通する連通孔２３ａが形成されており、この連通孔２３ａは、装置本体２１の内部から見て斜め上方を向いている。本実施形態の連通孔２３ａは、第２傾斜板２３下端部が切り欠かれることにより、第２傾斜板２３の略中央部から装置本体２１の底部２１ｂまで延びるように形成されている。
【００６４】
この第２実施形態の湿度調節装置２０においては、第１実施形態の湿度調節装置１０に比べて、少ない貯水量でもって開閉部１８ｄを開放状態とすることができる。即ち、蓋部材１４に及ぶ水圧は、該蓋部材１４の下端部からの水位により決定されるが、本実施形態の湿度調節装置２０では、連通孔２３ａが装置本体２１の底部２１ｂまで延びているため、排水が収容部１８ｂに貯水されると蓋部材１４に対して即座に水圧を及ぼすことができる。
【００６５】
つまり、収容部１８ｂの貯水の水位による水圧を蓋部材１４に対して効率よく与えることができるため、より低い水位でもって蓋部材１４を回動させることができる。したがって、収容部１８ｂの貯水量を常に少ない状態に維持することができ、該貯水による水蒸気の発生を抑制し、地下二重壁空間３内の湿度をより効果的に抑制することができる。
【００６６】
次に、第３実施形態の湿度調節装置３０について図７を用いて説明する。なお、図７においては図２と同様の構成要素には同様の符号を付して詳細な説明を省略する。
第２実施形態の湿度調節装置１０は、図６に示すように、装置本体３１と、水平板３２と、鉛直板３３と、蓋部材１４と、回動部材１５と、本体支持部材１６と、支持バー１７とから概略構成されている。
【００６７】
第３実施形態の装置本体３１は、鉛直方向に沿う軸線Ｏを中心とした有底円筒状の部材の一部を外周側から切り欠いた形状をなしている。
より詳細には、装置本体３１は、一定の厚みを有するプラスチック製のパイプを所定の長さに切断して形成した円筒体３１ａと、該円筒体３１ａの下方端部が閉塞されて形成された底部３１ｂとを備え、上記円筒体２１ａの外周側から底部２１ｂにかけて水平方向及び鉛直方向に沿って逆Ｌ字状に切り欠くことによって切欠部３１ｃが形成されている。なお、装置本体３１の外径、即ち円筒体３１ａの直径は、上記地下二重壁空間３の床面４に形成された排水孔６の内径よりも小さく形成されており、これにより、装置本体３１が排水孔６に挿入可能とされている。
【００６８】
この切欠部３１ｃは、外周側から水平方向に沿って平面によって切断されて、側面視逆Ｌ字の上部の短辺を構成する切断面である水平切欠面３１ｄと、底部３１ｂから鉛直方向に延びる平面よって切断されて、側面視逆Ｌ字の上下に延びる長辺を構成する切断面である鉛直切欠面３１ｅとから構成されており、該切欠部３１ｃにより装置本体３１の内外が連通状態とされている。
【００６９】
水平板３２は、例えばプラスチック等から形成された板状の部材であって、その外縁が水平切欠面３１ｄに接触するようにして水平面に沿って固定されている。また鉛直板３３は、例えばプラスチック等から形成された板状の部材であって、その外縁が鉛直切欠面３１ｅに接触するようにして固定されている。このようにして、水平板３２及び鉛直板３３によって切欠部３１ｃが閉塞されている。
【００７０】
また、鉛直板３３にはその中央に矩形の連通孔３３ａが形成されており、該連通孔３３ａを閉塞するようにして、第１実施形態と同様の蓋部材１４が、水平板３２に取り付けられた回動部材１５を介して設けられている。なお、この連通孔３３ａは、収容部１８ｂの内部から見て水平方向を向くように形成されている。したがって、連通孔３３ａが閉塞状態とされた通常時においては、蓋部材１４は鉛直方向に沿って配置されることになる。
【００７１】
この第３実施形態の湿度調節装置３０においても、収容部１８ｂの水位が所定未満の場合には、蓋部材１４が下方に向かって回動して連通孔３３ａを閉塞した状態とされている。そして、収容部１８ｂに貯水されることにより水位が上昇した際には、蓋部材１４に水圧が及び、開閉部１８ｄが開放状態とされる。したがって、排水を下方に流すことを可能としつつも、湧水槽５で生じた水蒸気が排水孔６上方に逆流するのを防止して、排水孔６の上方の空間である地下二重壁空間３の湿度の上昇を防止することができる。
【００７２】
次に、第４実施形態の湿度調節装置４０について図８を用いて説明する。なお、図８においては図２と同様の構成要素には同様の符号を付して詳細な説明を省略する。
第４実施形態の湿度調節装置４０は、図８に示すように、装置本体４１と、Ｌ字板４２と、水平板４３と、蓋部材１４と、回動部材１５と、本体支持部材１６と、支持バー１７とから概略構成されている。
【００７３】
第４実施形態の装置本体４１は、鉛直方向に沿う軸線Ｏを中心とした有底円筒状の部材の一部を外周側から切り欠いた形状をなしている。
より詳細には、装置本体４１は、一定の厚みを有するプラスチック製のパイプを所定の長さに切断して形成した円筒体４１ａと、該円筒体４１ａの下方端部が閉塞されて形成された底部２１ｂとを備え、上記円筒体４１ａの外周側から側面視略コの字状に切り欠くことによって切欠部４１ｃが形成されている。なお、装置本体４１の外径、即ち円筒体４１ａの直径は、上記地下二重壁空間３の床面４に形成された排水孔６の内径よりも小さく形成されており、これにより、装置本体４１が排水孔６に挿入可能とされている。
【００７４】
この切欠部４１ｃは、側面視逆Ｌ字状を構成する切断面であるＬ字切欠面４１ｄと、外周側から水平面よって切断されてＬ字切欠面４１ｄの下端部に接続する切断面である水平切欠面４１ｅとから構成されており、該切欠部４１ｃにより装置本体４１の内外が連通状態とされている。
【００７５】
Ｌ字板４２は、例えばプラスチック等から形成された板状の部材であって、その外縁がＬ字切欠面４１ｄに接触するように構成されている。また水平板４３は、例えばプラスチック等から形成された板状の部材であって、その外縁が水平切欠面３１ｄに接触するようにして固定されている。このようにして、Ｌ字板４２及び水平板４３によって切欠部４１ｃが閉塞されている。
【００７６】
また、水平板４３にはその中央に矩形の連通孔４３ａが形成されており、該連通孔４３ａを閉塞するようにして、第１実施形態と同様の蓋部材１４が、Ｌ字板４２に取り付けられた回動部材１５を介して設けられている。なお、この連通孔４３ａは、収容部１８ｂの内部から見て上方向を向くように形成されている。したがって、連通孔４３ａが閉塞状態とされた通常時においては、蓋部材１４は水平方向に沿って配置されることになる。
【００７７】
この第４実施形態の湿度調節装置４０においても、収容部１８ｂの水位が所定未満の場合には、開閉部１８ｄとしての蓋部材１４が連通孔４３ａを閉塞した状態とされている。そして、収容部１８ｂに貯水されることにより水位が上昇した際には、蓋部材１４に水圧が及び、開閉部１８ｄが開放状態とされる。したがって、排水を下方に流すことを可能としつつも、湧水槽５で生じた水蒸気が排水孔６上方に逆流するのを防止して、排水孔６の上方の空間である地下二重壁空間３の湿度の上昇を防止することができる。
【００７８】
次に、第５実施形態の湿度調節装置５０について図９を用いて説明する。なお、図９においては図２と同様の構成要素には同様の符号を付して詳細な説明を省略する。
第５実施形態の湿度調節装置５０は、図９に示すように、装置本体５１と、蓋部材１４と、回動部材１５と、本体支持部材１６と、支持バー１７とから概略構成されている。
【００７９】
第５実施形態の装置本体５１は、鉛直方向に沿う軸線Ｏを中心とした略有底円筒状をなしている。
より詳細には、装置本体５１は、一定の厚みを有するプラスチック製のパイプの下端側を軸線Ｏに対して斜めに切断して形成した円筒体５１ａと、該円筒体５１ａの傾斜する下端部を該傾斜に沿って閉塞する傾斜底部５１ｂとを備えている。
また、装置本体５１には、傾斜底部５１ｂから見て水平方向に当たる円筒体５１ａの外周面が貫通されることにより連通孔５３ａが形成されている。
【００８０】
そして、この連通孔５３ａを閉塞するようにして、第１実施形態と同様の蓋部材１４が、円筒体５１ａの外周面に固定された回動部材１５を介して設けられている。
【００８１】
この第５実施形態の湿度調節装置５０においても、下方が傾斜底部５１ｂによって閉塞されて排水が貯水される収容部１８ｂの水位が所定未満の場合には、蓋部材１４が下方に向かって回動して連通孔５３ａを閉塞した状態とされている。そして、収容部１８ｂに貯水されることにより水位が上昇した際には、蓋部材１４に水圧が及び、開閉部１８ｄが開放状態とされる。したがって、排水を下方に流すことを可能としつつも、湧水槽５で生じた水蒸気が排水孔６上方に逆流するのを防止して、排水孔６の上方の空間である地下二重壁空間３の湿度の上昇を防止することができる。
【００８２】
また、第２実施形態と同様に、連通孔５３ａが装置本体１１の最下方に位置する傾斜底部５１ｂまで延びているため、収容部１８ｂの貯水の水位による水圧を蓋部材１４に対して効率よく与えることができ、より低い水位でもって蓋部材１４を回動させることができる。したがって、収容部１８ｂの貯水量を常に少ない状態に維持することができ、該貯水による水蒸気の発生を抑制し、地下二重壁空間３内の湿度をより効果的に抑制することができる。  
【００８３】
以上、本発明の実施の形態について詳細に説明したが、本発明の技術的思想を逸脱しない限り、これらに限定されることはなく、多少の設計変更等も可能である。
例えば、開閉部１８ｄの回動部材１５に、蓋部材１４の回動を付勢するコイルバネ等の弾性部材が設けられていてもよい。これにより蓋部材１４を、連通孔１３ａ，２３ａ，３３ａ，４３ａ，５３ａを閉塞する方向あるいは開放する方向に付勢することにより、任意の水圧でもって開閉部１８ｄが開放状態となるように調整することができる。
【符号の説明】
【００８４】
１    内壁
２    外壁
３    地下二重壁空間
４    床面
５    湧水槽
６    排水孔
７    天井壁
１０  湿度調節装置
１１  装置本体
１１ａ       円筒体
１１ｂ       底部
１１ｃ       切欠部
１１ｄ       上部切欠面
１１ｅ       下部切欠面
１２  第１傾斜板
１３  第２傾斜板
１３ａ       連通孔
１４  蓋部材
１５  回動部材
１６ｄ       シール部材
１８ａ       導入部
１８ｂ       収容部
１８ｃ       絞り部
１８ｄ       開閉部
２０  湿度調節装置
２１  装置本体
２１ａ       円筒体
２１ｂ       底部
２１ｃ       切欠部
２１ｄ       上部切欠面
２１ｅ       下部切欠面
２３  第２傾斜板
２３ａ       連通孔
３０  湿度調節装置
３１  装置本体
３１ａ       円筒体
３１ｂ       底部
３１ｃ       切欠部
３１ｄ       水平切欠面
３１ｅ       鉛直切欠面
３２  水平板
３３  鉛直板
３３ａ       連通孔
４０  湿度調節装置
４１  装置本体
４１ａ       円筒体
４１ｂ       底部
４１ｃ       切欠部
４１ｄ       Ｌ字切欠面
４１ｅ       水平切欠面
４２  Ｌ字板
４３  水平板
４３ａ       連通孔
５０  湿度調節装置
５１  装置本体
５１ａ       円筒体
５１ｂ       傾斜底部（底部）
５３ａ       連通孔
１００       湿度調節システム
【図１】
2010203626.tif 000003
【図２】
2010203626.tif 000004
【図３】
2010203626.tif 000005
【図４】
2010203626.tif 000006
【図５】
2010203626.tif 000007
【図６】
2010203626.tif 000008
【図７】
2010203626.tif 000009
【図８】
2010203626.tif 000010
【図９】
2010203626.tif 000011